(57)【要約】  シェルを備える聴覚装置、聴覚装置のためのシェルを製造するための方法、聴覚装置のためのシェルが開示される。シェルは、内表面を有するシェル本体を備え、シェル本体は、第１末端から第２末端まで延びているとともに、第２末端において開口部を画定する縁部を備える。シェルは、内表面上に、アンテナをガイドするためのガイド構造を備える。ガイド構造は、内表面の第１ガイド部を含む、少なくとも一つのガイド部を備える。第１ガイド部の少なくとも一部は、縁部の面の法線に対して実質的に４５°から１３５°の範囲の角度で、内表面に沿って延びている。【代表図】図１
2018517366.tif 000002
【特許請求の範囲】
【請求項１】
聴覚装置のためのシェルであって、
前記シェルは、内表面を有するシェル本体と、アンテナをガイドするための前記内表面上のガイド構造と、を備え、
前記シェル本体は、第１末端から第２末端まで延びているとともに、前記第２末端において開口部を画定する縁部を備え、
前記ガイド構造は、前記内表面の第１ガイド部を含む、少なくとも一つのガイド部を備え、
前記第１ガイド部の少なくとも一部は、縁部の面の法線に対して実質的に４５°から１３５°の範囲内の角度で、前記内表面に沿って延びている、
シェル。
【請求項２】
前記ガイド構造は、縁部の面に平行に延びている、請求項１に記載のシェル。
【請求項３】
前記第１ガイド部は、前記内表面の第１凹部である、請求項１から２のいずれかに記載のシェル。
【請求項４】
前記シェル本体は、前記第２末端において内側へと延びる部分を備え、
前記第１凹部は、前記内側へと延びる部分に形成されている、請求項３に記載のシェル。
【請求項５】
前記第１凹部と前記第２末端との間の距離は、少なくとも５ｍｍである、請求項３又は４に記載のシェル。
【請求項６】
前記第１凹部は、少なくとも部分的にらせん状である、請求項３から５のいずれか一項に記載のシェル。
【請求項７】
前記少なくとも一つのガイド部が、前記内表面の第２ガイド部を含む、請求項１から６のいずれか一項に記載のシェル。
【請求項８】
前記第２ガイド部及び前記第１ガイド部は、前記縁部の面に対して平行な軸に沿って、互いに間隔を空けて配置されている、請求項１から７のいずれか一項に記載のシェル。
【請求項９】
前記第２ガイド部は、第２凹部であり、
前記第２凹部及び前記第１凹部は、前記縁部の面に対して垂直な軸に沿って、互いに間隔を空けて配置されている、請求項１から８のいずれかに記載のシェル。
【請求項１０】
前記第２ガイド部は、前記縁部の面の法線に対して実質的に４５°より大きな角度で、前記内表面に沿って延びている第２凹部であり、
前記第２凹部及び前記第１凹部は、互いに間隔を空けて配置されている、請求項７に記載のシェル。
【請求項１１】
前記少なくとも一つのガイド部は、前記内表面に沿って延びている第１組の突出部を備える、請求項１から１０のいずれか一項に記載のシェル。
【請求項１２】
前記少なくとも一つのガイド部は、前記内表面の内側へと延びる部分を備える、請求項１から１１のいずれか一項に記載のシェル。
【請求項１３】
前記シェル本体は、前記シェルにフェイスプレートを取り付けるように構成された接触面を備える、請求項１から１２のいずれか一項に記載のシェル。
【請求項１４】
請求項１から１３のいずれか一項に記載のシェルと、
前記シェルのガイド部内で少なくとも部分的に延びているアンテナと、
を備える聴覚装置。
【請求項１５】
聴覚装置のためのシェルを製造するための方法であって、内表面を有するシェル本体を形成することを備え、
前記シェル本体を形成することは、前記内表面にガイド構造を形成することを含み、
前記ガイド構造は、第１ガイド部を含む少なくとも一つのガイド部を有し、
前記シェル本体は、第１末端から第２末端まで延びているとともに、第２末端において開口部を画定する縁部を有し、
前記ガイド構造は、アンテナをガイドするためのものであり、前記第１ガイド部の少なくとも一部が、前記縁部の面の法線に対して実質的に４５°から１３５°の範囲の角度で、前記内表面に沿って延びている、方法。
【発明の詳細な説明】
【技術分野】
【０００１】
本開示は、聴覚装置のためのシェル、シェルを備える聴覚装置及びシェルを製造するための関連する方法に関し、特に、シェルの内表面にアンテナをガイドするためのガイド構造を与える、聴覚装置のためのシェルに関する。
【背景技術】
【０００２】
無線技術を使用することができる聴覚装置がよく知られている。サイズに関する厳密な要求（特に、耳あな型聴覚装置に対する要求）や、アンテナの位置及び大きさは、聴覚装置の開発者にとって、以前からの課題であり、今も依然として課題である。
【発明の概要】
【０００３】
これまでの開発にもかかわらず、製造するのが容易であると同時に、聴覚装置が耳に置かれたときに満足のいく送信／受信特性を有する聴覚装置を提供することが依然として必要とされている。
【０００４】
さらに、聴覚装置と別の機器（例えば、聴覚装置のためのリモートコントロール）との間の無線性能を向上させることと、聴覚装置の電池寿命を向上させることが必要とされている。このことは、本開示のシェル、聴覚装置及び方法によって得られる。
【０００５】
聴覚装置のためのシェルが開示される。シェルは、内表面を有するシェル本体を備える。シェル本体は、第１末端から第２末端まで延びているとともに、第２末端において開口部を画定する縁部を備える。シェルは、アンテナをガイドするために、内表面にガイド構造を備える。ガイド構造は、内表面の第１ガイド部を含む、少なくとも一つのガイド部を備える。第１ガイド部の少なくとも一部は、縁部の面の法線に対して実質的に４５°から１３５°の範囲の角度で、内表面に沿って延びていてもよい。あるいは、加えて／代えて、第１ガイド部は、縁部の面の法線に対して４５°から１３５°のいずれかの角度を形成する面を有するアンテナ空間を、少なくとも部分的に画定してもよい。
【０００６】
シェルを備える聴覚装置も開示される。聴覚装置は、シェルのガイド部の中で少なくとも部分的に延びているアンテナを備える。シェルは、内表面を有するシェル本体を備える。シェル本体は、第１末端から第２末端まで延びているとともに、第２末端において開口部を画定する縁部を備える。シェルは、アンテナをガイドするために、内表面にガイド構造を備える。ガイド構造は、内表面の第１ガイド部を含む、少なくとも一つのガイド部を備える。第１ガイド部の少なくとも一部は、縁部の面の法線に対して実質的に４５°から１３５°の範囲の角度で、内表面に沿って延びていてもよい。あるいは、加えて／代えて、第１ガイド部は、縁部の面の法線に対して４５°から１３５°のいずれかの角度を形成する面を有するアンテナ空間を、少なくとも部分的に画定してもよい。
【０００７】
聴覚装置のためのシェルを製造するための方法も開示する。この方法は、内表面を有するシェル本体を形成することを含む。シェル本体を形成することは、内表面上にガイド構造を形成することを含む。ガイド構造は、内表面の第１ガイド部を含む、少なくとも一つのガイド部を備える。シェル本体は、第１末端から第２末端まで延びているとともに、第２末端において開口部を画定する縁部を備える。ガイド構造は、アンテナをガイドするためのものであってもよい。第１ガイド部の少なくとも一部は、縁部の面の法線に対して実質的に４５°から１３５°の範囲の角度で、内表面に沿って延びていてもよい。あるいは、加えて／代えて、第１ガイド部は、縁部の面の法線に対して４５°から１３５°のいずれかの角度を形成する面を有するアンテナ空間を、少なくとも部分的に画定してもよい。
【０００８】
上に開示されたシェル、聴覚装置、及び方法は、聴覚装置のシェル内において、十分に定められたアンテナの構造及び位置を与え、それによって、聴覚装置と別の機器（例えば、聴覚装置のためのリモートコントロール）との間のアンテナによる無線性能を向上させることができるという利点を有する。このことは、聴覚装置の機能性を総合的に向上させるものであり、例えば、聴覚装置のためのソフトウェアをプログラミングするのを容易にし、聴覚装置の電池寿命を向上させることができる。
【０００９】
さらに、ガイド構造は、聴覚装置の製造及び／又は組み立てを、さらに容易かつ簡素にすることに寄与し得る。
【００１０】
上述の特徴及び利点と、他の特徴及び利点は、添付の図面を参照しつつ、以下の例示的な実施形態の詳細な記載によって当業者には容易に明らかになるだろう。
【図面の簡単な説明】
【００１１】
【図１】図１は、例示的なシェルを模式的に示す。
【図２ａ】図２ａは、例示的なシェルを模式的に示す。
【図２ｂ】図２ｂは、例示的なシェルを模式的に示す。
【図３ａ】図３ａは、例示的なシェルを模式的に示す。
【図３ｂ】図３ｂは、例示的なシェルを模式的に示す。
【図３ｃ】図３ｃは、例示的なシェルを模式的に示す。
【図４】図４は、例示的なシェルを模式的に示す。
【図５】図５は、例示的なシェルを模式的に示す。
【図６】図６は、例示的なシェルを模式的に示す。
【図７】図７は、例示的なシェルを模式的に示す。
【図８】図８は、例示的なシェルを模式的に示す。
【発明を実施するための形態】
【００１２】
図面を参照しつつ、本明細書で以下に種々の実施形態を記載する。同様の参照番号は、全体にわたって同様の要素を指す。従って、同様の要素は、それぞれの図面の記載に関して、詳細に記載されたものではないだろう。図面は、実施形態の説明を容易にすることだけを意図していることも注記しておくべきである。図面は、請求されている発明の包括的な記載であることは意図しておらず、又は請求されている発明の範囲を限定するものであることは意図していない。これに加え、図示されている実施形態は、示されている全ての態様又は利点を有する必要はない。特定の実施形態と関連して記載される態様又は利点は、必ずしもその実施形態に限定されず、図示されていない場合であっても、又はそのように明確に記載されていない場合であっても、任意の他の実施形態で実施することができる。
【００１３】
全体にわたって、同じ参照番号は、同一の部品又は対応する部品に使用される。
【００１４】
聴覚装置のためのシェルは、例えば、耳あな型（ＩＴＥ）聴覚装置のためのＩＴＥシェルであってもよい。従って、シェルは、使用者の外耳道に少なくとも部分的に置かれるように構成されていてもよい。聴覚装置は、補聴器であってもよく、例えば、聴覚装置の処理ユニットは、使用者の難聴の難聴補償のために構成されていてもよい。
【００１５】
シェルは、内表面を有するシェル本体を備える。シェル本体は、シェルの壁であってもよい。シェル本体は、縁部の面に垂直な軸に沿って第１末端から第２末端まで延びている。従って、聴覚装置のシェルが使用者の耳に配置されるとき、第１末端は、使用者の鼓膜、内耳、頭部を向くように構成されていてもよい。第２末端は、シェルの開口端であってもよく、フェイスプレートによって閉じられ、例えば、接着、溶着、機械的な固定要素及び／又は他の適切な固定具によって、フェイスプレートに固定されるように構成される。聴覚装置のシェルが使用者の耳に配置されるとき、第２末端は、環境に開口する耳の開口部の方向に向かうように構成されていてもよい。
【００１６】
シェル本体は、第２末端でシェルの開口部を画定する縁部を備える。開口部は、聴覚装置の構成要素（例えば、シェルの中のレシーバ、マイクロフォン、アンテナ及び処理ユニット）の挿入を容易にする。縁部は、縁部の面に沿って延びていてもよく、又は実質的に延びていてもよい。縁部の面は、聴覚装置のフェイスプレートが、第２末端においてシェルの開口部を画定する縁部に接続される、シェル本体の面であってもよい。
【００１７】
本明細書で使用される場合、「実質的に」との用語は、１０％未満の変動を指す。例えば、実質的に平行な２つのアイテムは、第１アイテムが第２アイテムに対して１８０°±１８°を形成することを指していてもよい。
【００１８】
シェルは、アンテナをガイドするためのガイド構造を、シェル本体の内表面に備える。ガイド構造は、内表面の第１ガイド部を含む、少なくとも一つのガイド部を備える。ガイド構造は、内表面の第１ガイド部及び第２ガイド部を含む、複数のガイド部を備えてもよい。ガイド部は、シェルの中にアンテナをガイドするために配置された延伸部材、フランジ、らせん構造、凹部、突出部、管、リブ、頂部、隆起又は支持構造の形態をしていてもよい。ガイド構造は、アンテナ又は少なくともその一部をシェル本体の内表面に対して嵌め込む（プレスフィッティングする）のを容易にし得る。
【００１９】
ガイド構造及び／又は少なくとも第１ガイド部は、シェルの縁部に近い位置に、例えば、シェルの縁部から３ｍｍ以内に配置されてもよい。第１ガイド部は、シェルの第２末端側に近いシェルの半分に配置されてもよく、又は第２末端側に近いシェルの４分の１に配置されてもよく、又は第２末端側に近いシェルの３分の１に配置されてもよい。それによって、聴覚装置のアンテナは、シェルに取り付けられたとき、無線送信／受信を容易にする位置に支持される。
【００２０】
シェルは、使用者に対して特注であってもよく、その結果、シェルは、使用者の外耳道に適合する。シェルは、使用者の外耳道の中で直接スキャンすることによって、又は外耳道の形状を複製する耳型をスキャンすることによって、使用者の外耳道の３Ｄ表面スキャンを提供することによって形成されてもよい。
【００２１】
アンテナは、例えば、２．４ＧＨｚの周波数帯での無線ローカルエリアネットワーク（ＷＬＡＮ）コンピュータ通信のための標準であるＩＥＥＥ８００．１１仕様に適合する２．４ＧＨｚアンテナであってもよい。
【００２２】
アンテナは、電気アンテナであってもよい。アンテナは、共振アンテナであってもよい。共振アンテナは、定常波構造を収容することができるような４分の１波長又は半波長の長さであってもよい。４分の１波長は、約２５〜３５ｍｍ、例えば、約３０ｍｍに対応する。半波長は、約５０〜７０ｍｍ、例えば、約５５ｍｍ又は約６０ｍｍに対応する。実際の物理的な長さは、アンテナの周囲にある材料に依存し、この場合には、シェルの材料であると思われ、典型的には、薄く硬いプラスチック材料である。アンテナは、モノポールアンテナであってもよい。アンテナは、ダイポールアンテナであってもよい。
【００２３】
シェルの厚さは、約０．１〜３０ｍｍであってもよい。
【００２４】
聴覚装置のためのシェルを製造する従来技術において、シェル及び聴覚装置を組み立てる者又は職人は、シェルにアンテナを固定せず、シェルの中に無作為に置くだけであろう。本開示のシェル、聴覚装置、シェル及び聴覚装置を製造するための方法によれば、アンテナは、シェルのシェル本体の内表面にあるガイド構造の少なくとも一つのガイド部に固定されるか、接続されるか、又はガイドされ得る。
【００２５】
シェルの第２末端における縁部の開口部を画定する閉じた曲線の中心点が、定められてもよい。この中心点を通って、縁部の面に垂直の中心軸が定められてもよい。
【００２６】
ガイド構造は、内表面の第１ガイド部を含む、少なくとも一つのガイド部を備える。第１ガイド部の少なくとも一部は、縁部の面の法線に対して４５°から１３５°の範囲の角度で、又は実質的に４５°から１３５°の範囲の角度で、内表面に沿って延びていてもよい。第１ガイド部の少なくとも一部は、縁部の面の法線に対して４５°より大きい角度で、又は実質的に４５°より大きい角度で、内表面に沿って延びていてもよい。
【００２７】
従って、一つ又は複数のガイド部（例えば、第１ガイド部）又はその少なくとも一部は、縁部、縁部の面又は縁部に取り付けられたフェイスプレートに対して、平行、あるいは実質的に平行に延びている。従って、アンテナは、電場の偏波を与えてもよく、電場の偏波は、縁部の面の法線と平行ではない。従って、アンテナは、縁部、縁部の面、又は縁部に取り付けられたフェイスプレートと平行な面に少なくとも部分的に延びる、電場の偏波を与えてもよい。
【００２８】
第１ガイド部の少なくとも一部は、縁部の面の法線に対して実質的に６０°より大きく、１２０°より小さい角度で、又は縁部の面の法線に対して実質的に７５°より大きく、１０５°より小さい角度で、内表面に沿って延びていてもよい。
【００２９】
ガイド構造は、シェル本体の内表面に沿って延びる第２ガイド部を備えてもよい。ガイド構造のガイド部は、内表面に沿って分布していてもよい。例えば、第１ガイド部及び第２ガイド部は、３０°より大きい角度で、４５°より大きい角度で、又は４５°から１８０°の角度で配置されてもよい。ガイド部間の角度は、第１軸と第２軸の間の角度である。第１軸は、縁部の面に平行であり、中心軸及びガイド部の一つと交差しており、第２軸は、縁部の面に平行であり、中心軸及びその他のガイド部と交差している。従って、第１ガイド部及び第２ガイド部は、内表面上に互いに対向するように配置されていてもよい。
【００３０】
ガイド構造は、縁部の面に平行に延びていてもよい。縁部の面は、縁部の平面（例えば、シェル本体の第２末端において開口部を画定する縁部を横切って延びる平面）であってもよい。ガイド構造は、縁部の面に実質的に平行に延びていてもよい。
【００３１】
第１ガイド部は、内表面における第１凹部であってもよい。従って、第１ガイド部は、シェル本体の内表面にアンテナをガイドするための第１凹部の形状を有していてもよい。第１凹部は、アンテナを固定し、保持し、接続し、及び／又は留めることによってアンテナをガイドしてもよい。
【００３２】
ガイド部の他の設計及び実装が与えられてもよい。
【００３３】
シェル本体は、第２末端又はその付近に、内側へと延びる部分を備えてもよく、第１ガイド部は、例えば、第１凹部の形態で、その内側へと延びる部分に形成される。従って、第１凹部は、シェル本体の第２末端に配置されていてもよい。例えば、第１凹部は、フランジといった内側へと延びる部分の第１表面に配置されてもよく、それにより、例えば、聴覚装置の組み立て中にアンテナを損傷する危険性を減らすことができる。第１表面は、シェル本体の第１末端に対向する表面である。第１凹部は、フランジといった内側へと延びる部分の第２表面に配置されてもよい。第２表面は、シェル本体の第２末端に対向する表面である。
【００３４】
第１凹部と第２末端との間の距離は、少なくとも５ｍｍであってもよい。この距離は、縁部の面の法線に沿った距離として計算されてもよく、又は定められてもよい。第２末端とガイド部又は第１凹部との間に、いくらかの距離が存在することが有利であろう。これにより、例えば、聴覚装置を使用者のために組み立てるとき、シェルをもっと短く又はもっと小さく切断することができる場合には、例えば、アンテナに影響を及ぼすか、又は損傷することなく、シェルの一部を第２末端で切り取ることができる。
【００３５】
第１凹部は、第２末端からの距離が５ｍｍ〜２０ｍｍの範囲で延びていてもよい。この範囲は、５ｍｍ〜１５ｍｍ、又は５ｍｍ〜１０ｍｍ、又は１０ｍｍ〜２０ｍｍ、又は１０〜１５ｍｍであってもよい。この距離は、これに代えて、及び／又はこれに加えて、縁部の面からの距離として、又はシェルのフェイスプレートからの距離として算出することができるか、又は画定することができる。
【００３６】
第１凹部は、少なくとも部分的にらせん状であってもよい。従って、第１ガイド部又は第１凹部は、回転した様式又はねじれた様式で、内表面に沿って少なくとも部分的に延びていてもよく、すなわち、アンテナが、シェル本体内で、らせん状の様式でガイドされてもよい。従って、第１凹部は、第１末端と第２末端の間を回転する様式で延びていてもよい。
【００３７】
少なくとも一つのガイド部は、内表面の第２ガイド部を含んでいてもよい。従って、第１ガイド部と第２ガイド部との両方が設けられてもよく、この場合、ガイド構造は、連続的な構造又は相互接続した構造でなくてもよく、互いに間隔を空けて配置された別個のガイド部であってもよい。従って、ガイド構造は、第１ガイド部及び第２ガイド部を含んでいてもよい。いくつか又は複数のガイド部（例えば、二つ、三つ、四つ、五つ又はそれ以上のガイド部）は、アンテナをガイドするという点で有利となり得る。例えば、アンテナが個別のガイド部によって多くの位置でガイドされる、又は保持される場合、アンテナは、アンテナのガイド又は保持が改良されるような長さ及び／又は可撓性を有してもよい。
【００３８】
第２ガイド部及び第１ガイド部は、縁部の面に平行な軸に沿って、及び／又は縁部の面の上で突出するときに、互いに間隔を空けて配置されていてもよい。従って、第１ガイド部及び第２ガイド部は、両方とも縁部の面に平行な同じ軸の上に配置されていてもよい。第１ガイド部及び第２ガイド部は、例えば、シェル本体の内表面の対向する側面又は面に、互いに対向して配置されていてもよい。第１ガイド部及び第２ガイド部は、中心軸から見て４５°未満の角度内といったように、互いに近接して配置されていてもよい。第１ガイド部及び第２ガイド部は、縁部の面に対して、及び第２末端に対して、同じ距離又は実質的に同じ（±５％の）距離で配置されてもよい。
【００３９】
第２ガイド部及び第１ガイド部は、縁部の面に垂直な軸に沿って、互いに間隔をあけて配置されていてもよい。
【００４０】
第２ガイド部は、第２凹部を含んでいてもよく、第２凹部であってもよい。第２凹部及び第１凹部は、縁部の面に垂直な軸に沿って互いに間隔を空けて配置されていてもよい。従って、第１凹部及び第２凹部は、例えば第１凹部が第２凹部よりも第２末端に近く、又は逆も同様であるように配置されていてもよい。
【００４１】
第２ガイド部は、縁部の面の法線に対して実質的に４５°よりも大きな角度で内表面に沿って延びている第２凹部であってもよく、又は第２凹部を含んでいてもよい。第２凹部及び第１凹部は、互いに間隔を空けて配置されていてもよい。第１凹部及び第２凹部は、縁部の面に平行な同じ面の中にあってもよい。第１凹部及び第２凹部は、例えば、シェル本体の内表面の対向する側面又は面に、例えば、互いに対向して配置されていてもよい。このような配置は、アンテナの安定したガイド及び固定を得るために与えられてもよい。第２ガイド部は、縁部の面の法線に対して実質的に４５°から１３５°の範囲の角度で、内表面に沿って延びていてもよい。
【００４２】
凹部（例えば、第１凹部及び／又は第２凹部）は、深さが０．１ｍｍ〜２．０ｍｍの範囲であってもよい。この深さは、アンテナの大きさを合わせるときに好都合であろう。
【００４３】
凹部（例えば、第１凹部及び／又は第２凹部）は、幅が０．１ｍｍ〜２．０ｍｍの範囲であってもよい。この幅は、アンテナの大きさを合わせるときに好都合であろう。
【００４４】
凹部（例えば、第１凹部及び／又は第２凹部）は、例えば、アンテナに沿って十分に支えるために、長さが２ｍｍより長くてもよい。
【００４５】
少なくとも一つのガイド部は、内表面に沿って延びる第１組の突出部を含む、一組以上の突出部を含んでいてもよい。一組の突出部は、一つ以上の（例えば、一つ、二つ、三つ、四つ又は五つの突出部など）を含んでいてもよい。少なくとも一つのガイド部は、内表面の中に内側へと延びる部分を含んでいてもよい。
【００４６】
シェル本体は、フェイスプレートをセルに取り付けるために構成された、一つ以上の接触面を備えてもよい。フェイスプレートの代替例として、接触面は、カバーに接続するように構成されていてもよい。一つ以上の接触面は、シェル本体の第２末端における縁部の開口部の面又は平坦な表面であってもよい。従って、一つ以上の接触面は、縁部の面がシェル本体の材料に接触する場所に対応していてもよい。フェイスプレートは、例えば、のり又はテープなどの接着材料を用い、又は機械的に留める手段、例えば、フェイスプレートをシェル本体の接触面に留めるためのネジを用いることによって、一つ以上の接触面に取り付けられてもよい。
【００４７】
図１は、聴覚装置のためのシェル２の一例を模式的に示す。シェル２は、側方断面図で示されている。シェル２は、内表面６を有するシェル本体４を備える。シェル本体４は、縁部の面１４に垂直な軸１２に沿って、第１末端８から第２末端１０まで延びている。シェル本体４は、第２末端１０において開口部１８を画定する縁部１６を備える。開口部１８によって、聴覚装置の構成要素（例えば、シェルの中のレシーバ、マイクロフォン、アンテナ及び処理ユニット）の挿入が可能となる。シェル２は、アンテナをガイドするために内表面６上にガイド構造２０を備える。ガイド構造２０は、内表面６の第１ガイド部２４を含む、少なくとも一つのガイド部２２を備える。第１ガイド部２４は、第１凹部２５Ａを有する内側へと延びる部分２５を備え、第１凹部２５Ａは、内側へと延びる部分２５の第２表面に形成されている。内側へと延びる部分２５は、内表面６に沿って縁部の面１４に平行又は実質的に平行に延びている。第１凹部２５Ａは、アンテナ（図示せず）を少なくとも部分的に収容するように構成されている。第１ガイド部２４は、第２末端１０から少なくとも２ｍｍの第１距離だけ離れて配置されている。
【００４８】
図２ａ及び図２ｂは、聴覚装置１の例示的なシェル２Ａの側方断面図を模式的に示す。シェル２Ａは、内表面６を有するシェル本体４を備える。シェル本体４は、縁部の面１４に垂直な軸１２に沿って、第１末端８から第２末端１０まで延びている。シェル本体４は、使用者の外耳道に少なくとも部分的に配置されるように構成され、第２末端１０において開口部１８を画定する縁部１６を備える。シェル２Ａは、内表面６上に、アンテナ２６をガイドするためのガイド構造を備える。ガイド構造２０は、内表面６の第１ガイド部２４を含む、少なくとも一つのガイド部を備える。第１ガイド部２４は、アンテナ２６をガイドするための第１凹部２５Ａを備える内側へと延びる部分２５のような形状である。第１凹部２５Ａは、内側へと延びる部分２５の第１表面に形成されており、第１表面は、第１末端８に面している。内側へと延びる部分２５は、内表面６に沿って縁部の面１４に平行又は実質的に平行に延びている。第１ガイド部２４は、第２末端１０に配置されている。図２ａは、聴覚装置１の一部としてのフェイスプレート２８も示す。フェイスプレート２８は、シェル２の第２末端１０の開口部１８を閉じるために、シェル２の縁部１６に接続される（例えば、接着、溶着されるか、又は他の方法で留められる）ような構成である。フェイスプレートは、シェルにフェイスプレートを接続するように構成されたシェル本体の接触面３２で接続されていてもよい。任意要素の電池蓋３０がフェイスプレート２８の中に示されている。図２ｂにおいて、フェイスプレート２８は、シェル２の縁部１６の接触面３２で、シェル２に接続されている。
【００４９】
図３ａは、聴覚装置のためのシェル２Ｂの一例を模式的に示す。シェル２Ｂは、内表面６を有するシェル本体４を備える。シェル本体４は、縁部の面１４に垂直な軸１２に沿って、第１末端８から第２末端１０まで延びている。シェル本体４は、第２末端１０において開口部１８を画定する縁部１６を備える。シェル２Ｂは、内表面上に、アンテナをガイドするためのガイド構造２０を備える。ガイド構造２０は、第１ガイド部２４を含む、少なくとも一つのガイド部２２を備える。第１ガイド部２４は、縁部の面に平行に延びているとともに、第１末端８に対向する第１表面に第１凹部２５Ａを有する、内側へと延びる部分を備える。第１ガイド部２４は、第２末端１０から約２ｍｍの第１距離だけ離れて配置されている。
【００５０】
図３ｂは、聴覚装置のためのシェル２Ｃの一例を模式的に示す。シェル２Ｃは、内表面６を有するシェル本体４を備える。シェル本体４は、縁部の面１４に垂直な軸１２に沿って、第１末端８から第２末端１０まで延びている。シェル本体４は、第２末端１０において開口部１８を画定する縁部１６を備える。シェル２Ｃは、ガイド構造を備える。ガイド構造は、内表面６に配置され、９０°の角度で分布する（図３ｃを参照）第１ガイド部２４、第２ガイド部３４、第３ガイド部３６、第４ガイド部３８（図３ｂに示されていない）を含む、四つのガイド部を含む。ガイド部２４、３４、３６、３８は、第２末端１０から約２ｍｍの第１距離だけ離れて、縁部の面１６に対して平行な同じ面に配置されている。ガイド部２４、３４、３６、３８は、Ｌ字型の形状であり、１ｍｍ〜１０ｍｍの範囲の長さのそれぞれの凹部を形成している。
【００５１】
図３ｃにおいて、シェル２Ｃは、内表面に沿って９０°の角度で分布した第１ガイド部２４、第２ガイド部３４、第３ガイド部３６、第４ガイド部３８を示す上面図で示されている。
【００５２】
図４は、聴覚装置のためのシェル２Ｄの一例を模式的に示す。シェル２は、側方断面図で示されている。シェル２Ｄは、内表面６を有するシェル本体４を備える。シェル本体４は、縁部の面１４に垂直な軸１２に沿って、第１末端８から第２末端１０まで延びている。シェル本体４は、第２末端１０において開口部１８を画定する縁部１６を備える。シェル２Ｄは、内表面６上に、アンテナ２６をガイドするためのガイド構造２０を備える。ガイド構造２０は、内表面６に沿って延びる第１組の突出部４２、４４によって形成される第１凹部２５を有する第１ガイド部２４を備え、二つの突出部４２、４４の間にアンテナをガイドする。
【００５３】
図５は、聴覚装置のためのシェル２Ｅの一例を模式的に示す。シェル２Ｅは、側方断面図で示されている。シェル２Ｅは、内表面６を有するシェル本体４を備える。シェル本体４は、縁部の面１４に垂直な軸１２に沿って、第１末端８から第２末端１０まで延びている。シェル本体４は、第２末端１０において開口部１８を画定する縁部１６を備える。シェル２Ｅは、内表面６上に、アンテナ２６をガイドするためのガイド構造を備える。ガイド構造２０は、第１ガイド部２４及び第２ガイド部３４を含む少なくとも一つのガイド部を備える。第１ガイド部２４及び第２ガイド部３４は、２つのガイド部２４、３４の間にアンテナをガイドするために、内表面６に沿って延びている。
【００５４】
図６は、聴覚装置のためのシェル２Ｆの一例を模式的に示す。シェル２Ｆは、側方断面図で示されている。シェル２Ｆは、内表面６を有するシェル本体４を備える。シェル本体４は、縁部の面１４に垂直な軸１２に沿って、第１末端８から第２末端１０まで延びている。シェル本体４は、第２末端１０において開口部１８を画定する縁部１６を備える。シェル２Ｆは、内表面６上に、アンテナをガイドするためのガイド構造を備える。ガイド構造は、第１ガイド部２４、第２ガイド部３４及び第３ガイド部３６を備える。第１ガイド部２４、第２ガイド部３４及び第３ガイド部３６は、３つのガイド部２４、３４、３６の間にアンテナをガイドするために、内表面６に沿って延びている。ガイド部２４、３４、３６は、凹部であってもよい。第２ガイド部３４及び第１ガイド部２４は、縁部の面１４に垂直な軸１２に沿って、互いに間隔をあけて配置されている。第２ガイド部３４及び第３ガイド部３６も、縁部の面１４に垂直な軸１２に沿って、互いに間隔を空けて配置されている。第１ガイド部２４及び第３ガイド部３６は、縁部の面１４に平行な軸４０に沿って、互いに間隔を空けて配置されている。アンテナが第１ガイド部２４と第２末端１０との間に配置されるようにアンテナが配置され、次いで、第２ガイド部３４と第１末端８との間にアンテナが配置されるように曲げられ、次いで、第３ガイド部３６と第２末端１０との間に配置されるようにアンテナが再び曲げられてもよい。
【００５５】
図７は、聴覚装置のためのシェル２Ｇの一例を模式的に示す。シェル２Ｇは、側方断面図で示されている。シェル２Ｇは、内表面６を有するシェル本体４を備える。シェル本体４は、縁部の面１４に垂直な軸１２に沿って、第１末端８から第２末端１０まで延びている。シェル本体４は、第２末端１０において開口部１８を画定する縁部１６を備える。シェル２は、内表面６上に、アンテナ２６をガイドするためのガイド構造２０を備える。ガイド構造は、第１ガイド部２４、第２ガイド部３４及び第３ガイド部３６を含む少なくとも一つのガイド部を備える。第１ガイド部２４、第２ガイド部３４及び第３ガイド部３６は、３つのガイド部２４、３４、３６の間にアンテナをガイドするために、内表面６に沿って延びている。ガイド部２４、３４、３６は、凹部であってもよく、又は凹部を含んでいてもよい。第１ガイド部２４、第２ガイド部３４及び第３ガイド部３６は、縁部の面１４に平行な軸４０に沿って、互いに間隔を空けて配置されている。アンテナが第１ガイド部２４と第２末端１０との間に配置されるようにアンテナが配置され、次いで、第２ガイド部３４と第１末端８との間にアンテナが配置されるように曲げられ、次いで、第３ガイド部３６と第２末端１０との間に配置されるようにアンテナが再び曲げられてもよい。
【００５６】
図８は、聴覚装置のためのシェル２Ｈの一例を模式的に示す。シェル２Ｈは、側方断面図で示されている。シェル２Ｈは、内表面６を有するシェル本体４を備える。シェル本体４は、縁部の面１４に垂直な軸１２に沿って、第１末端８から第２末端１０まで延びている。シェル本体４は、第２末端１０において開口部１８を画定する縁部１６を備える。シェル２は、内表面６上に、アンテナ２６をガイドするためのガイド構造２０を備える。ガイド構造は、アンテナをガイドするために、内表面６に沿って延びる第１ガイド部を備える。第１ガイド部は、少なくとも部分的にらせん状の第１凹部２５Ａとして形成される。
【００５７】
特定の特徴を示し、記載してきたが、これらの特徴は、請求される発明を限定することを意図していないことが理解され、請求される発明の精神及び範囲から逸脱することなく種々の変更及び改変が行われてもよいことが当業者に明らかになるだろう。従って、明細書及び図面は、限定するという観点ではなく、実例であると考えるべきである。請求される発明は、全ての代替例、改変及び均等物を包含することを意図している。
【００５８】
（項目）
１．聴覚装置のためのシェルであって、シェルは、内表面を有するシェル本体と、アンテナをガイドするための内表面上のガイド構造とを備え、シェル本体は、第１末端から第２末端まで延びているとともに、第２末端において開口部を画定する縁部を備え、縁部は、縁部の面を定め、ガイド構造は、内表面に第１ガイド部を備え、第１ガイド部の少なくとも一部が、縁部の面の法線に対して４５°から１３５°のいずれかの角度で内表面に沿って延びている、シェル。
【００５９】
２．ガイド構造が、縁部の面に平行に延びている、項目１に記載のシェル。
【００６０】
３．第１ガイド部が、第１凹部を画定する内表面の一部を含む、項目１に記載のシェル。
【００６１】
４．シェル本体が、第２末端において内側へと延びる部分を備え、第１凹部が、内側へと延びる部分に形成される、項目３に記載のシェル。
【００６２】
５．第１凹部と第２末端との間の距離が少なくとも５ｍｍである、項目３に記載のシェル。
【００６３】
６．第１凹部が、少なくとも部分的にらせん状である、項目３に記載のシェル。
【００６４】
７．ガイド構造が、内表面に第２ガイド部をさらに含む、項目１に記載のシェル。
【００６５】
８．の第２ガイド部及び第１ガイド部が、縁部の面に対して平行な軸に沿って、互いに間隔を空けて配置されている、項目７に記載のシェル。
【００６６】
９．の第１ガイド部が第１凹部を画定し、第２ガイド部が第２凹部を画定し、第２凹部及び第１凹部が、縁部の面に対して垂直な軸に沿って、互いに間隔を空けて配置されている、項目７に記載のシェル。
【００６７】
１０．第１ガイド部が第１凹部を画定し、第２ガイド部が第２凹部を画定し、第２凹部が、縁部の面の法線に対して４５°より大きな角度で、内表面に沿って延びており、第２凹部及び第１凹部が、互いに間隔を空けて配置されている、項目７に記載のシェル。
【００６８】
１１．第１ガイド部が、内表面に沿って延びている第１組の突出部を備える、項目１に記載のシェル。
【００６９】
１２．第１ガイド部が、内表面において内側へと延びる部分を備える、項目１に記載のシェル。
【００７０】
１３．シェル本体が、シェルにフェイスプレートを接続するように構成された接触面を備える、項目１に記載のシェル。
【００７１】
１４．項目１に記載のシェルを備える聴覚装置であって、第１ガイド部によって少なくとも部分的にガイドされたアンテナを備える、聴覚装置。
【００７２】
１５．聴覚装置のためのシェルを製造するための方法であって、この方法は、内表面を有するシェル本体と、内表面にガイド構造とを形成することを含み、ガイド構造は、内表面に第１ガイド部を備え、シェル本体は、第１末端から第２末端まで延びており、シェル本体は、第２末端において開口部を画定する縁部を備え、縁部は、縁部の面を定め、ガイド構造は、アンテナをガイドするためのものであり、第１ガイド部の少なくとも一部は、縁部の面の法線に対して４５°から１３５°のいずれかの角度で内表面に沿って延びている、方法。
【符号の説明】
【００７３】
１：聴覚装置
２、２Ａ、２Ｂ、２Ｃ、２Ｄ、２Ｅ、２Ｆ、２Ｇ、２Ｈ：シェル
４：シェル本体
６：内表面
８：第１末端
１０：第２末端
１２：縁部の面に垂直な軸、縁部に垂直な面
１４：縁部の面
１６：縁部
１８：開口部
２０：ガイド構造
２２：少なくとも一つのガイド部
２４：第１ガイド部
２５：内側に延びる部分
２５Ａ：第１凹部
２６：アンテナ
２８：フェイスプレート
３０：電池蓋
３２：接触面
３４：第２ガイド部
３６：第３ガイド部
３８：第４ガイド部
４０：縁部の面に平行な軸
【図１】
2018517366.tif 000003
【図２ａ】
2018517366.tif 000004
【図２ｂ】
2018517366.tif 000005
【図３ａ】
2018517366.tif 000006
【図３ｂ】
2018517366.tif 000007
【図３ｃ】
2018517366.tif 000008
【図４】
2018517366.tif 000009
【図５】
2018517366.tif 000010
【図６】
2018517366.tif 000011
【図７】
2018517366.tif 000012
【図８】
2018517366.tif 000013
【国際調査報告】
2018517366.tif 000014
2018517366.tif 000015